(57)【要約】【課題】【解決手段】ディスプレイの画像領域をユーザの目に位置合わせすることにより、ユーザに最適な画像品質を提供する。一般にディスプレイは、キャリヤ内に収納されるディスプレイパネルから形成される。キャリヤは、デバイスハウジング内でディスプレイパネルを機械的に位置合わせするのに使用される。ただし、最初にキャリヤ内でディスプレイパネルを位置合わせしてから、キャリヤとディスプレイの組合せをデバイスのハウジング内で位置合わせする必要がある。キャリヤを必要としないディスプレイパネルを使用することにより、取り付けプロセスから位置合わせステップの１つが不要になる。位置合わせデバイスを有するハウジング内にディスプレイパネルを配置することにより、ディスプレイパネルの画像領域とハウジングの開口との正しい位置合せが確実なものになる。
2004522990.tif 000002
【特許請求の範囲】
【請求項１】
画像領域を含むディスプレイパネル用の、単一の位置合わせ縁部を有する取付け装置であって、
ディスプレイ開口を有するハウジングと、
前記ハウジングに結合され、前記単一の位置合わせ縁部を基にして、ディスプレイパネルの前記画像領域とハウジングの前記ディスプレイ開口を位置合わせすることができるディスプレイ位置合わせデバイスと、
を有する、取付け装置。
【請求項２】
請求項１において、前記ディスプレイ位置合わせデバイスが、画像領域を、ディスプレイ開口との整列位置に対して許容差２゜以内に位置合わせする、取付け装置。
【請求項３】
請求項１において、前記画像領域を照射するための、前記ハウジングに取り付けられる光源を有する、取付け装置。
【請求項４】
請求項３において、前記光源が発光ダイオード（ＬＥＤ）を備える、取付け装置。
【請求項５】
請求項４において、前記発光ダイオードが青色光を放射して蛍光体被膜を通過させ、白色光を発生する、取付け装置。
【請求項６】
請求項３において、前記光源がライトパイプを備える、取付け装置。
【請求項７】
請求項３において、前記光源が第１拡散板と第２拡散板を備える、取付け装置。
【請求項８】
請求項１において、さらに、前記ハウジングに取り付けられるレンズを備え、前記レンズが前記ディスプレイ開口に隣接して配置される、取付け装置。
【請求項９】
請求項８において、前記レンズがトロレンズを備える、取付け装置。
【請求項１０】
請求項１において、さらに、横方向固定部分を備え、前記横方向固定部分が、前記ディスプレイパネルの位置合わせ縁部を前記ディスプレイ位置合わせデバイスに横方向に押し付けることにより、画像領域とディスプレイ開口を位置合わせしている、取付け装置。
【請求項１１】
請求項１０において、前記横方向固定部分がばね部と斜面の組合せを備えている、取付け装置。
【請求項１２】
請求項１において、さらに、垂直方向固定部分を備え、前記垂直方向固定部分が、前記ハウジング内で前記ディスプレイパネルを垂直に押し付ける、取付け装置。
【請求項１３】
請求項１において、前記ディスプレイ位置合わせデバイスが、前記ハウジング内に位置決め縁部を有し、前記位置決め縁部が、ディスプレイパネルの少なくとも１つの位置合わせ縁部と接触して、前記位置合わせ縁部と前記位置決め縁部の間の境界面によって画像領域とディスプレイ開口とを位置合わせする、取付け装置。
【請求項１４】
ディスプレイアセンブリであって、
ディスプレイ開口を有するハウジングと、
前記ハウジング内に取り付けられ、前記ディスプレイ開口と光学的に位置合せして配置されている画像領域を有する、ディスプレイパネルと、
前記ハウジングに結合され、前記画像領域と前記ディスプレイ開口を位置合わせできるディスプレイ位置合わせデバイスと、
を有する、ディスプレイアセンブリ。
【請求項１５】
請求項１４において、前記ディスプレイ位置合わせデバイスが、画像領域を、ディスプレイ開口との整列に関して許容値２゜以内に位置合わせする、ディスプレイアセンブリ。
【請求項１６】
請求項１４において、前記ハウジングに結合されて画像領域を照射する光源を備える、ディスプレイアセンブリ。
【請求項１７】
請求項１６において、前記光源が発光ダイオード（ＬＥＤ）を備える、ディスプレイアセンブリ。
【請求項１８】
請求項１６において、前記発光ダイオードが青色光を放射して蛍光体被膜を通過させ、白色光を発生する、ディスプレイアセンブリ。
【請求項１９】
請求項１６において、前記光源がライトパイプを備える、ディスプレイアセンブリ。
【請求項２０】
請求項１６において、前記光源が前記ハウジングに取り付けられる第１拡散板と第２拡散板を有する、ディスプレイアセンブリ。
【請求項２１】
請求項１４において、さらに、前記ディスプレイ開口に隣接して前記ハウジングに取り付けられるレンズを備える、ディスプレイアセンブリ。
【請求項２２】
請求項２１において、前記レンズがトロレンズを備える、取付け装置。
【請求項２３】
請求項１４において、さらに、横方向固定部分を備え、前記横方向固定部分が、前記ディスプレイパネルの位置合わせ縁部を前記ディスプレイ位置合わせデバイスに横方向に押し付けて、画像領域とディスプレイ開口を位置合わせする、取付け装置。
【請求項２４】
請求項２３において、前記横方向固定部分が、ばね部と斜面の組合せを備える、取付け装置。
【請求項２５】
請求項１４において、さらに、垂直方向固定部分を備え、前記垂直方向固定部分が、前記ハウジング内で前記ディスプレイパネルを垂直に押し付ける、取付け装置。
【請求項２６】
請求項１４において、前記ディスプレイ位置合わせデバイスが、アセンブリのハウジング内に位置決め縁部を有し、前記位置決め縁部が、ディスプレイパネルの少なくとも１つの位置合わせ縁部と接触して、前記位置合わせ縁部と前記位置決め縁部の間の境界面によって画像領域とディスプレイ開口とを位置合わせする、ディスプレイアセンブリ。
【請求項２７】
請求項１４において、前記ディスプレイパネルがキャリヤを備える、ディスプレイアセンブリ。
【請求項２８】
請求項１４において、さらに、前記ディスプレイパネルに結合される光透過性のスペーサを備え、前記スペーサが画像領域を光学素子に対して位置合わせする、ディスプレイアセンブリ。
【請求項２９】
請求項２８において、光透過性のスペーサが前記ディスプレイパネルのビュワー側の面に結合されている、ディスプレイアセンブリ。
【請求項３０】
請求項２８において、光透過性のスペーサが、前記ディスプレイパネルのバックライト側の面に結合されている、ディスプレイアセンブリ。
【請求項３１】
請求項２８において、前記光透過性のスペーサが偏光板を備えている、ディスプレイアセンブリ。
【請求項３２】
ディスプレイアセンブリを組み立てる方法であって、
ディスプレイ位置合わせデバイスを有するハウジング内にディスプレイを配置し、
前記ディスプレイ位置合わせデバイスを結合し、
ディスプレイの表示動作領域を前記ハウジングのディスプレイ開口に位置合わせする、各ステップを含む、方法。
【請求項３３】
請求項３２において、さらに、光源を前記ハウジングに結合するステップを含む、方法。
【請求項３４】
ディスプレイシステムであって、
少なくとも１つの位置合わせ縁部を有し、かつディスプレイ開口を画定するキャリヤと、キャリヤ内の第１偏光板と第２偏光板の間に取り付けられるディスプレイであって、そのディスプレイが、前記第１偏光板から第１間隔離れて位置し、かつ前記第２偏光板から第２間隔の位置にあり、前記ディスプレイが、前記キャリヤの位置合わせ縁部と接触する非凹凸状面を有する第１周囲縁部を備え、ディスプレイの前記第１周囲縁部とキャリヤの前記位置合わせ縁部の間の境界面によって、前記ディスプレイの表示動作領域と前記キャリヤのディスプレイ開口が位置合わせされる、ディスプレイと、
前記ディスプレイに結合される光透過性のスペーサであって、そのスペーサが前記ディスプレイを光学素子に対して位置合わせする、スペーサと、
を備える、ディスプレイシステム。
【発明の詳細な説明】
【背景技術】
【０００１】
ディスプレイ技術の発展により、高品質画像を生成する比較的小さいサイズのディスプレイを製造できるようになった。ディスプレイの画像領域をユーザの目に位置合わせすることは、ユーザに対し最適な画像品質を確保するのに重要である。例えば、ディスプレイの画像領域が水平基準ラインに対して３度より大きく回転すると、その回転はユーザの目につき、ディスプレイを見る楽しさが損なわれることがある。
【０００２】
一般にディスプレイは、キャリヤ内に収納されるディスプレイパネルから形成される。キャリヤ（ｃａｒｒｉｅｒ）は、デバイスハウジング内でディスプレイパネルを機械的に位置合わせするのに使用される。ただし、キャリヤを使用する場合は、２つの位置合わせステップを実行して、ディスプレイをユーザの目に位置合わせする必要がある。最初の位置合わせステップでは、キャリヤ内でディスプレイパネルの画像領域を位置合わせすることが要求される。ディスプレイパネルとキャリヤの位置合わせにより、ユーザの目に対するディスプレイの回転を防止する。第２の位置合わせステップでは、ディスプレイの画像領域とキャリヤの組み合わせを、ディスプレイが使用されているデバイスのハウジング内で位置合わせする必要がある。これら２つの位置合わせステップにより積重ね誤差と許容値（公差）誤差とが生じ、これらはディスプレイのコストを高くする。
【発明の開示】
【０００３】
キャリヤを利用しないディスプレイパネルを使用することにより、ディスプレイを使用するのに必要な位置合わせステップの１つが不要となる。キャリヤを必要としないディスプレイパネルを使用することにより、ディスプレイパネルを収納するハウジングは、ディスプレイパネルの画像領域をハウジングの開口に正しく位置合せするための位置合わせデバイスを有することになる。
【０００４】
単一の位置合わせ縁部を有するディスプレイパネル用の取り付け装置は、ディスプレイ開口とディスプレイ位置合わせデバイスとを有するハウジングを含む。ディスプレイ位置合わせデバイスは、ハウジングに結合され、単一位置合わせ縁部を基にして、前記ディスプレイパネルの前記画像領域と前記ハウジングの前記ディスプレイ開口を位置合わせする。
【０００５】
ディスプレイ位置合わせデバイスは、ディスプレイ開口に対して０゜±１゜以内の回転に画像領域を位置合わせする。
【０００６】
取付け装置は、ディスプレイ開口に近接して、ハウジングの第１表面に取り付けられた第１偏光板を備えることができ、そのディスプレイ開口では、偏光板は使用時のユーザの視野の外側にある。取付け装置は、ディスプレイ開口に近接して、ハウジングの第２表面に取り付けられた第２偏光板も備えることができる。第２偏光板は、ディスプレイパネルに対して第１偏光板の反対に配置できる。
【０００７】
取付け装置はまた、ハウジングに取り付けられる光源を備えて、ディスプレイパネルの画像領域を照射することもできる。光源は発光ダイオード（ＬＥＤ）であってもよい。発光ダイオード（ＬＥＤ）は、青色光を放射する青色ＬＥＤでもよく、この青色光は蛍光体被膜を通過して白色光になる。光源は、ライトパイプ（light pipe）でもよい。光源は、第１拡散板と第２拡散板を備えることもできる。
【０００８】
取付け装置は、ディスプレイ開口に近接して配置されて、ハウジングに取り付けられるレンズも含む。このレンズは、トロレンズ（torro lens）を含むことができる。
【０００９】
取付け装置は横方向固定部分も備えていてもよく、その横方向固定部分が、ディスプレイパネルの位置合わせ縁部をディスプレイ位置合わせデバイスに押し付けることにより、画像領域とディスプレイ開口を位置合わせする。横方向固定部分は、ばね部と傾斜部の組合せを備えることができる。取付け装置が垂直方向固定部分を備えて、ハウジング内でディスプレイパネルを垂直方向に押し付けることもできる。
【００１０】
ディスプレイ位置合わせデバイスは、アセンブリのハウジング内に位置決め縁部を備えることができる。この位置決め縁部は、ディスプレイパネルの少なくとも１つの位置合わせ縁部と接触して、位置合わせ縁部と位置決め縁部の間の境界面が画像領域をディスプレイ開口に位置合わせするようにする。
【００１１】
ディスプレイパネルに取付け装置を組み合わせることにより、ディスプレイアセンブリを形成する。ディスプレイアセンブリは、ディスプレイ開口を有するハウジングと、ハウジング内に取り付けられるディスプレイパネルと、ハウジングに結合されるディスプレイ位置合わせデバイスとを含む。ディスプレイパネルは、ディスプレイ開口に光学的に位置合わせした位置にある画像領域を含む。ディスプレイ位置合わせデバイスは、画像領域とディスプレイ開口を位置合わせすることができる。
【００１２】
本発明の前述およびその他の目的、特徴、および利点は、添付図面に示す本発明の好ましい実施形態の以下の詳細な説明で明らかになるであろう。図面では、同一参照符号は異なる図面においても同一部品を指す。図面は必ずしも寸法通りでなく、本発明の原理を示すことに重点が置かれている。
【発明を実施するための最良の形態】
【００１３】
図１は、従来技術の液晶ディスプレイパネル１０を示す。このディスプレイ１０は、ディスプレイ１０に結合されている第１ガラス基板６と、第２ガラス基板８と、ケーブルコネクタ１２とを含む。ケーブルコネクタ１２は、ディスプレイ１０を駆動するための手段を提供する。一般には、偏光板がディスプレイパネル１０の表面に取り付けられる。第１偏光板はディスプレイの第１ガラス基板６に取り付けることができ、一方、第２偏光板はディスプレイパネル１０の第２ガラス基板８に取り付けることができる。ディスプレイの製造組立ての説明は、米国特許出願番号０９／６４３，６５５（２０００年７月２８日出願）、米国特許出願番号０９／３０９，１５５（１９９９年５月１０日出願）、米国特許出願番号０８／９６６，９８５（１９９８年１０月８日出願）に記載されており、これら出願の全文が本願明細書の一部をなすものとしてここに引用されている。
【００１４】
図２はキャリヤ１４内に配置されて、ディスプレイまたはディスプレイシステム５を形成するディスプレイパネル１０を示す。キャリヤ１４は、ディスプレイパネル１０用のディスプレイ開口１６を含む。このディスプレイシステム５の製造時に、ディスプレイパネル１０の表示動作領域（アクティブ領域）をキャリヤ１４のディスプレイ開口１６に位置合わせする。この第１位置合わせステップにより、ディスプレイパネル１０により生成される画像の回転が認識されることなく、ユーザが開口１６を通して見ることのできるディスプレイの画像領域を提供する。
【００１５】
ディスプレイシステム５がビューファインダー・ハウジングのようなハウジング内に配置される場合は、キャリヤ１４は、ハウジング内でディスプレイシステムの画像領域を位置合わせする役割を果たす。この第２位置合わせステップにより許容値誤差が生じ、この誤差によってディスプレイ５の画像領域とユーザの目の全体的な位置合わせ精度が低下することがある。
【００１６】
位置合わせステップの１つを削除するため、ディスプレイ１０は、キャリヤ１４を使用せずにデバイスのハウジング内に取り付けられる。キャリヤ１４を削除することによって、ディスプレイとユーザの目との位置合せが、１つの位置合わせステップ、すなわちデバイスのハウジング内でのディスプレイパネル１０の位置合わせステップのみに限定される。
【００１７】
図３Ａおよび３Ｂは、取付け装置１５の内側に取り付けるキャリヤを使用しない液晶のディスプレイパネル１０を示す。取付け装置１５は、第１ハウジング部分１８と第２ハウジング部分１９とを有するハウジングを含む。取付け装置１５は、ディスプレイパネル１０による光が透過できるディスプレイ開口２５も含む。取付け装置１５は、ディスプレイ位置合わせデバイス２１も含む。
【００１８】
図に示されているように、ディスプレイパネル１０は、位置合わせ縁部１３と、ギザギザ（凹凸状）の、または直線でない縁部１７を含む。この平滑でない、または凹凸状の縁部１７は、ディスプレイパネル１０のガラスを罫書くときに生じる。ディスプレイ１０用のサイズにガラスを切断するときに、罫書いた縁部は平坦な縁部にならない。この縁部には、多数の突起が含まれる。ディスプレイパネル１０は、位置合わせされた縁部１３も含む。ディスプレイパネル１０のこの位置合わせ縁部１３により、取り付け装置内でパネル１０を位置合わせして、取付け装置１５のディスプレイ開口２５に対するディスプレイパネル１０の回転がゼロまたは最小となるようにすることができる。取付け装置１５の寸法は、取付け装置１５の幅２７がディスプレイパネル１０の凹凸状の縁部に沿った最大の突起部より大きくなるように決められる。これにより、ディスプレイパネル１０と取付け装置１５とが干渉することなく、ディスプレイパネル１０を取り付け装置１５内に配置できる。
【００１９】
取付け装置１５は、ディスプレイパネル１０の画像領域をハウジングのディスプレイ開口２５に位置合わせするディスプレイ位置合わせデバイス２１を含む。詳細には、ディスプレイ位置合わせデバイス２１は、ディスプレイ開口２５に対してディスプレイパネル１０の画像領域を、完全な整列位置から許容値２゜以下（すなわち０゜±１゜）に位置合わせする。図３Ａと３Ｂに示されているように、ディスプレイ位置合わせデバイス２１は、ディスプレイパネル１０の位置合わせ縁部１３と取付け装置１５との直線的な結合を実現する位置決め縁部を含む。ディスプレイパネル１０の位置合わせ縁部１３と取付け装置１５の平坦面とを接合することにより、ディスプレイの画像領域とハウジングの開口２５の位置合せが確実になる。ここで重要な点は、ディスプレイパネル１０には凹凸状の縁部１７が含まれるため、ディスプレイパネル１０の位置合わせ縁部１３の平坦面を使用してハウジング内でディスプレイを位置合わせすることである。パネル１０の位置合わせ縁部１３とハウジング１５の位置合わせデバイス２１の間の境界面により、ディスプレイパネル１０がディスプレイ開口２５に対して回転するのを防止している。
【００２０】
図４は、取り付け装置１５内に取り付けられる、キャリヤを使用しないディスプレイパネル１０を示し、取付け装置１５は、偏光板３４、３６を含む。取付け装置１５は、第１偏光板または出力（すなわち画像透過）偏光板３４と、第１ハウジング要素１８および第２ハウジング要素１９を有するハウジングと、ディスプレイ１０と、第２偏光板または入力偏光板３６とを含む。詳細には、偏光板３４、３６には反射防止層がコーティングされ、光源からの反射を最小限にしている。
【００２１】
出力偏光板３４は、第１ハウジング要素１８内に取り付けられる。第１ハウジング要素１８は、それ自体の中に第１偏光板３４を保持するためのレセプタクル３１２を含む。詳細には、レセプタクル３１２は第１偏光板３４をハウジング１８に機械的に固定して、第１偏光板３４に対して接着剤が不要となるようにしている。レセプタクル３１２は、第１偏光板３４とディスプレイ１０の第１面との間に間隔３１８が形成されるように、第１ハウジング要素１８内に位置する。この間隔３１８は、偏光板３４をディスプレイ１０の第１面またはガラス基板から隔離して、第１偏光板３４をディスプレイ１０の画像面から離すことにより、第１偏光板３４内の欠陥部分の視認性を低減させる。
【００２２】
ディスプレイ１０は、第２ハウジング要素１９内に取り付けられ、第２ハウジング要素１９に第１ハウジング要素１８を取り付けることによりディスプレイ１０を囲むように、第２ハウジング要素１９内で位置合わせされる。第２ディスプレイ要素１９も、ハウジング１５内に第２偏光板３６を保持するためのレセプタクル３１４を含む。レセプタクル３１４により、第２偏光板３６をディスプレイ１０から一定間隔３２０だけ離して配置できる。レセプタクル３１４が第２偏光板３６をハウジング要素１９内に機械的に固定することにより、第２偏光板３６の固定に接着剤が不要となる。この間隔３２０は、第２偏光板３６をディスプレイ１０の第１面またはガラス基板から隔てて、第２偏光板３６をディスプレイ１０の焦点面から離すことにより、第２偏光板３６内の欠陥部分の視認性を低減させる。
【００２３】
１つの実施形態では、偏光板３４、３６がレセプタクル３１２、３１４内に固定され、偏光板３４、３６とディスプレイパネル１０の画像面との間の間隔は、画像面から約１．５ｍｍである。この１．５ｍｍは、ディスプレイ１０の表面からディスプレイ１０の中心、すなわち画像面までを測定したディスプレイ１０の厚さ０．７ｍｍと、隙間０．８ｍｍの合計である。
【００２４】
図５〜１３は、ディスプレイアセンブリ２０の設計を示す。ディスプレイアセンブリ２０は、第１ハウジング部分２４と第２ハウジング部分２６とを有するハウジング２２を含む。第２ハウジング部分は、アセンブリ２０の光源を固定するバックライトハウジングでもよい。ハウジング２２は、ディスプレイ開口２８とディスプレイ位置合わせデバイス３０とを含む。ディスプレイ位置合わせデバイスは、ハウジング２２内でディスプレイ開口２８とディスプレイパネル１０を位置合わせする。ディスプレイアセンブリ２０は、ハウジング２２内でのディスプレイパネル１０の動きを防止する固定デバイス３２を含む。固定デバイス３２は横方向固定部分５８を含み、この部分５８は、位置合わせデバイスにパネル１０の位置合わせ縁部１３を押し付けることにより、ハウジング２２内でパネル１０が回転するのを防止する。固定デバイス３２はまた垂直方向固定部分５９も含み、これにより、ハウジング２２内でディスプレイパネル１０が垂直に移動、または傾斜するのを防止する。
【００２５】
ディスプレイアセンブリ２０は、ビュー側の偏光板である第１偏光板３４と、光源側の偏光板である第２偏光板３６とを含む。第１偏光板３４は、ディスプレイパネル１０の表面から第１間隔５２だけ離れて取り付けられ、第２偏光板３６は、パネル１０の光源側の表面から第２間隔５４だけ離れて取り付けられる。ディスプレイパネル１０の表面から離して偏光板３４、３６を取り付けることにより、偏光板３４、３６がビュワーの焦点面の外側に位置し、偏光板に含まれる欠陥部分または含有物が、ユーザが見る画像に与える影響を最小限にする。第１偏光板３４は、ディスプレイパネル１０と第１偏光板３４の間の第１間隔５２を形成する第１ハウジング部分２４に取り付けることができる。
【００２６】
ハウジング２２は、ディスプレイ１０と第２偏光板３６の間に第２間隔５４を形成するのに使用するスペーサ３８も含む。第２偏光板３６と、この第２偏光板３６に隣接して取り付けられる第１拡散板４０とを、スペーサ３８に固定できる。ディスプレイアセンブリ２０はまた、ハウジング２２の第２ハウジング部分２６内に取り付けられる第２拡散板４２も含む。第２ハウジング部分２６は、光源４４を有する面４６（例えば、回路基板）に結合できる。ハウジング２６は、固定具４８によって面４６に固定できる。光源４４は、ディスプレイパネル１０の光源側に光を供給する。詳細には、光源４４は発光ダイオード（ＬＥＤ）である。光源４４は、蛍光体被膜を有するキャップによって囲まれる青色発光ダイオードでもよい。発光ダイオードが青色光を放射すると、発光ダイオードからの青色光と蛍光体被膜の組合せにより、ディスプレイアセンブリ２０に白色光を発光できる。
【００２７】
図１４〜２２は、ディスプレイアセンブリ６０の代替設計を示す。ディスプレイアセンブリ６０は、ディスプレイ位置合わせデバイス３０を有する単一のハウジング６２を含み、このデバイス３０はディスプレイパネル１０の画像領域とハウジング６２のディスプレイ開口６８を位置合わせする。ハウジング６２は、第１偏光板３４を有し、この偏光板３４は、ディスプレイパネル１０のビュー側の面から第１間隔７７だけ離れている。ハウジング６２はまた、第１スペーサ６６を含み、このスペーサは、第２偏光板３６をディスプレイ１０の光源側から第２間隔７８だけ隔てる。第１スペーサ６６を適切な材料で製作して、第２偏光板への損傷を防止できる。第１拡散板４０は、第２偏光板３６に隣接して取り付けられる。第２偏光板３６と光源ハウジング７２の間には、第２スペーサ７０が存在する。この第２スペーサ７０を使用して、ディスプレイアセンブリ６０内で第２偏光板３６と第１拡散板４０を固定すると同時に、第１拡散板４０と第２拡散板４２に間隔を空ける。
【００２８】
単一のハウジング６２は、光源ハウジング７２に結合される。光源ハウジング７２は、回路基板のような面に結合される。光源ハウジングは、ディスプレイアセンブリ６０に光を供給するための光源７４（ＬＥＤでもよい）を含む。
【００２９】
図２３〜３１は、ディスプレイアセンブリ８０の代替設計を示す。ディスプレイアセンブリ８０は、第１ハウジング部分８４と第２ハウジング部分８６とを有するハウジング８２を含む。第１ハウジング部分８４は、第１偏光板３４をディスプレイアセンブリ８０に固定するのに使用する偏光板取付け部９４を含む。偏光板取付け部９４は、第１偏光板３４をディスプレイ１０のビュー側の面から第１間隔９６だけ隔離する。第１ハウジング部分８４はまた、ディスプレイ位置合わせデバイス３０も含む。第１ハウジング部分８４はまた、ハウジング内でのディスプレイパネル１０の移動を防止する固定デバイス３２も含む。アセンブリ８０は、ディスプレイパネル１０と第２偏光板３６の間に取り付けられるスペーサ８８を含む。スペーサ８８は、ディスプレイパネル１０の光源側の面と第２偏光板３６の間に間隔９８を形成する。
【００３０】
第１拡散板４０は、第２偏光板３６に隣接して取り付けられ、第２ハウジング部分８６によって偏光板３６に隣接して保持される。第２ハウジング部分８６は、第２拡散板４２も保持している。第２ハウジング部分は、光源９０（ＬＥＤでもよい）を有する面９２（例えば、回路基板）に結合される。
【００３１】
図３２と３３は、ディスプレイアセンブリの別の設計を示す。ディスプレイアセンブリ１１０は、第１ハウジング部分１１２と第２ハウジング部分１１４を含む。第１ハウジング部分は、第１偏光板３４を取り付けできる偏光板取付け部１１６を有する。偏光板取付け部１１６は、偏光板３４をディスプレイ１０の表面から第１間隔１２２だけ隔てる。第１ハウジング部分１１２はまた、ディスプレイ位置合わせデバイス３０と固定デバイス３２も含む。固定デバイス３２は、垂直方向固定部分５９を含み、この部分は、ディスプレイパネル１０の表面に接触し、ディスプレイパネル１０が垂直に動くのを防止する。第１ハウジング部分１１２を第２ハウジング部分１１４に取り付けることにより、ディスプレイアセンブリ１１０内でディスプレイ１０を固定する。
【００３２】
光源１１８は、ディスプレイアセンブリ１１０の第２ハウジング部分１１４に取り付けられる。詳細には、光源１１８はライトパイプである。ライトパイプは、ライトパイプの表面に積み重ねられる第２偏光板３６と、第１拡散板４０と、第２拡散板４２とを含むことができる。
【００３３】
図３４と３５は、ディスプレイアセンブリ１４０の代替設計を示す。ディスプレイアセンブリ１４０は、第１ハウジング部分１４２と、第２ハウジング部分１４４と、第３ハウジング部分１４６とを含む。ディスプレイパネル１０は、第１ハウジング部分１４２と第２ハウジング部分１４４の間に取り付けられる。第１ハウジング部分１４２は、ディスプレイ位置合わせデバイス３０と、ディスプレイアセンブリ１４０内でディスプレイパネル１０が横または垂直に動くのを防止する固定デバイス３２とを含む。第２偏光板３６と第１拡散板４０は、第２ハウジング部分１４４と第３ハウジング部分１４６の間に取り付けられる。ディスプレイアセンブリ１４０は、第１拡散板４０と第２拡散板４２の間に位置するスペーサ１４８を含む。第２ハウジング部分１４４と第３ハウジング部分１４６が結合することにより、ディスプレイアセンブリ１４０内で第２偏光板３６と、第１拡散板４０と、第２拡散板４２が固定される。第３ハウジング部分１４６は、面１５０（例えば、回路基板）に取り付けられる。面１５０は、発光ダイオード１５２を含む。
【００３４】
第１ハウジング部分１４２と、第２ハウジング部分１４４と、第３ハウジング部分１４６と、面１５０との組合せは、ディスプレイアセンブリハウジング１５４内に配置されるサブアセンブリを形成する。ディスプレイアセンブリハウジング１５４は突出部１６２を含む。突出部１６２は、第１偏光板３４をディスプレイアセンブリハウジング１５４に固定し、第１偏光板３４をディスプレイパネル１０のビュー面から隔てる。
【００３５】
図３６と３７は、ディスプレイ１０用の代替の横方向固定部分を示す。図３６は、横方向固定部分１７２の詳細図である。横方向固定部分１７２は、ディスプレイアセンブリ１７０の一部として形成される。ディスプレイ位置合わせデバイス３０は、ディスプレイアセンブリ１７０の位置合わせ縁部１７４を含み、この位置合わせ縁部は、ディスプレイ１０に接触して、ハウジング１８４のディスプレイ開口１８６に対してディスプレイパネルの画像領域が回転するのを防止する。横方向固定部分１７２は、ばね部１７６を有する支持体または支持台１８０も含む。ばね部１７６と支持体１８０は、ディスプレイ１０の取付け装置２００を形成する。横方向固定部分１７２は、さらに、斜面または傾斜部分１７８を有するスペーサ部分１８２を含むことができる。スペーサ１８２は、光源からの光をディスプレイパネル１０に伝える。斜面１７８を利用して、ばね部１７６と支持体１８０をディスプレイ１０に押し付けて、ディスプレイをハウジング１８４の位置合わせ縁部１７４に固定する。
【００３６】
横方向固定部分１７２を利用してディスプレイ１０の表示動作領域とディスプレイ開口１８６を位置合わせするために、最初に、ディスプレイ１０がハウジング１８４内に配置される。ディスプレイパネル１０の位置合わせ縁部を、ハウジング１８４の位置合わせ縁部１７４であるディスプレイ位置合わせデバイス３０に当たるように配置して、ディスプレイパネル１０およびディスプレイの画像領域とハウジング１８４のディスプレイ開口１８６を最初に位置合わせする。ディスプレイパネル１０は、取付け装置２００の支持体１８０によって支持される。次に、スペーサ１８２と斜面１７８のアセンブリが、ディスプレイ１０と取付け装置２００に垂直に押し付けられる。斜面部分１７８は、取付け装置のばね部分１７６を押す。この押し付けにより、ばね部分１７６がディスプレイパネル１０に押し付けられ、これによりディスプレイパネル１０が位置合わせ縁部１７４に押し付けられ、ディスプレイパネル１０の画像領域とディスプレイ開口１８６との正しい方向が確保される。さらに、スペーサ１８２が支持体１８０に押し付けられ、これによりハウジング１８４内でディスプレイパネル１０が傾くのが防止される。
【００３７】
図３７は、ハウジング１８４の外側部分に取り付けられた第１偏光板を有するディスプレイアセンブリ１４０を示しており、このようにしてディスプレイ１０と第１偏光板３４の間に第１間隔１９８を形成する。スペーサ１８２と支持体１８０は、それぞれ、光源からの光をディスプレイパネル１０に伝える手段を含む。ディスプレイアセンブリ１７０はまた、スペーサ１８２と支持体１８０の間に位置する第２偏光板と第１拡散板も含む。支持体１８０は、第２偏光板３６とディスプレイパネル１０の光源側を隔離する。ディスプレイアセンブリ１７０はまた、取付け面１９４に取り付けられる光源１９０も含む。この取付け面は、例えば回路基板でもよい。光源１９０は、光源からの光をディスプレイ１０の方向に集光するための反射器と共に取り付けられる。第２拡散板４２を、支持体１８０と光源１９０の間に配置し、反射器１９２に取り付けることができる。
【００３８】
図３８〜４６は、ディスプレイアセンブリとレンズの結合を示す。詳細には、レンズによりディスプレイから放射された光を曲げて、ディスプレイからの光が、ディスプレイから特定の角度でユーザの目の方向に向くようにする。
【００３９】
図３８〜４５は、ディスプレイアセンブリ２１０を示す。ディスプレイアセンブリ２１０は、第１ハウジング部分２１４と第２ハウジング部分２１６とを有するハウジング２１２を含む。ハウジング２１２は、ディスプレイパネル１０と位置合わせデバイス３０とを含む。ディスプレイアセンブリ２１０はまた、第２偏光板３６と拡散板２２０をディスプレイパネル１０のビュー面から隔離するためのスペーサ２１８も含む。ディスプレイアセンブリ２１０はまた、第１ハウジング部分２１４によってディスプレイ１０のビュー側から隔離されている第１偏光板３４も含む。ハウジング２１２は、ディスプレイ１０からの画像を拡大するためのレンズ２２４を含む。詳細には、レンズ２２４は、ユーザの目がディスプレイから放射された光と同一の軸上にない場合に、ディスプレイからの光をユーザの目の方向に向けることができる。詳細には、このようなレンズはトロレンズである。
【００４０】
図４６は、ディスプレイアセンブリからの光をユーザの目の方向に向けるための代替設計を示す。図４６は、ハウジング２１２を有するディスプレイアセンブリ２１０を示す。ハウジング２１２は、ライトパイプ２２８に取り付けられる。ライトパイプ２２８は、ディスプレイアセンブリ２１０内のディスプレイパネル１０からの光を伝え、光屈曲デバイス２２９の方向に光を伝達する。光屈曲デバイス２２９は、例えばプリズムまたはミラーでもよい。光屈曲デバイス２２９は、ディスプレイからの光を、ディスプレイからの画像を拡大するレンズ２２５の方向に向ける。詳細には、光屈曲デバイス２２９は、ディスプレイからの光の伝達の方向から、すなわち光の伝達の方向に対して９０度の角度に光を向ける。ただし、例えば０度より大きく、９０度より小さい任意の角度を使用できる。
【００４１】
図４７〜５０は、ハウジング内でのディスプレイの回転の位置ずれを防止するためのデバイスを示す。図４７は、キャリヤ２３２内に取り付けられるディスプレイ２５０を示す。キャリヤは、第１キャリヤ部分２３４と第２キャリヤ部分２３６を含む。ディスプレイ２５０は、ビュー側２４０と光源側２３８を含む。ハウジング内にディスプレイ２５０とキャリヤ２３２を配置するとき、許容値の不不足または位置合せの精度の低さに起因して、ディスプレイ２５０の画像面２３０がハウジングのＺ軸２４８に対してある角度を持つことがある。これは、ビュワーによって認識される画像の歪みにつながる。キャリヤ２３４に対する光学系の位置合わせの精度が低いと、各部の許容値が蓄積することにより、画像面の位置の誤差が生じる。これに起因して、Ｚ軸２４８に沿った、Ｚ軸と傾斜する平行移動の焦点誤差が生じる。
【００４２】
Ｚ軸に対する許容値の蓄積または傾きを防止するために、光透過性のスペーサ２４６が使用され、このスペーサは、ディスプレイ２５０の表面から延び、ハウジング内で光学的に利用できる。例えば、図４８は、光透過性のスペーサ２４６の１つの使用例を示す。この例においては、光透過性スペーサ２４６は、ディスプレイ２５０のビュー側に固定される。これにより、光学系をディスプレイ２５０の画像面２３０に直接位置合わせすることができる。許容値が表示される画像に影響を与える唯一の領域は、光透過性のスペーサ２４６自体の許容値によるものである。図示されている実施形態においては、第１偏光板２４２は、ディスプレイ２５０のビュー側２４０に固定される。光透過性のスペーサ２４６は、ディスプレイ２５０のビュー側２４０に固定される。次に、第２偏光板２４４が、光学的に透明なスペーサ２４６に固定される。
【００４３】
光透過性のスペーサ２４６は、ガラスまたはプラスティックのいずれから形成できる。また光透過性のスペーサ２４６が隙間部分２５２も備えることにより、スペーサ２４６の第１面がキャリヤ２３６の厚みを通過し、かつスペーサ２４６の第２面がキャリヤ２３２を超えて延びるようにできる。
【００４４】
図４９は、光透過性のスペーサ２４６を有するディスプレイ２５０の代替の設計を示す。この設計においては、第２偏光板２４４は、ディスプレイ２５０のビュー側２４０に直接取り付けられる。
【００４５】
図５０は、ディスプレイ２５０とスペーサ２４６の組み合わせの別の代替設計を示す。この設計においては、スペーサ２４６は、ディスプレイ２５０のバックライト側２４０に取り付けられる。この変形形態では、光透過性のスペーサ２４６が、ディスプレイ２５０のビュー側２３８に使用される画像光学系と干渉するのを防止する。スペーサ２４６は、スペーサ２４６の表面に取り付けられる第１偏光板２４２を含むことができる。第２偏光板２４４は、光源側２４０とディスプレイ２５０の間で、かつディスプレイ２５０とスペーサ２４６の間に配置される。スペーサ２４６とディスプレイ２５０のこの配置の結果として、明るさがいくらか失われることがある。しかし、明るさの損失は、バックライトへの出力を増大させることによって補償できる。したがって、明るさの損失は、目２５４に見える画像のＭＴＦ（Modulation Transfer Function：変調伝達関数）の損失として現れることはない。この配置を使用すると、Z 軸がＺ軸に沿った平行移動を防止しまたはＺ軸２４８に対する傾きが最小になる。光透過性のスペーサ２４６をディスプレイ２５０に接着するときには、屈折率の一致する光学接着剤を使用する必要がある。
【００４６】
本発明をその特定の実施形態により図示および説明してきたが、当業者には、添付の特許請求の範囲に包含される本発明の範囲から逸脱することなく、本発明における形態および細部のさまざまな変更を実行できることは理解されるであろう。
【図面の簡単な説明】
【００４７】
【図１】従来技術のディスプレイパネルを示す。
【図２】キャリヤ内に取り付けられる図１のディスプレイパネルを示す。
【図３Ａ】ハウジング内に取り付けられるディスプレイパネルを示す。
【図３Ｂ】同ハウジング内に取り付けられるディスプレイパネルを示す。
【図４】ハウジングに取り付ける偏光板を有する、ハウジング内に取り付けられるディスプレイパネルを示す。
【図５】ディスプレイアセンブリを示す。
【図６】同ディスプレイアセンブリを示す。
【図７】同ディスプレイアセンブリを示す。
【図８】同ディスプレイアセンブリを示す。
【図９】同ディスプレイアセンブリを示す。
【図１０】同ディスプレイアセンブリを示す。
【図１１】同ディスプレイアセンブリを示す。
【図１２】同ディスプレイアセンブリを示す。
【図１３】同ディスプレイアセンブリを示す。
【図１４】代替のハウジング構造を有するディスプレイアセンブリを示す。
【図１５】同代替のハウジング構造を有するディスプレイアセンブリを示す。
【図１６】同代替のハウジング構造を有するディスプレイアセンブリを示す。
【図１７】同代替のハウジング構造を有するディスプレイアセンブリを示す。
【図１８】同代替のハウジング構造を有するディスプレイアセンブリを示す。
【図１９】同代替のハウジング構造を有するディスプレイアセンブリを示す。
【図２０】同代替のハウジング構造を有するディスプレイアセンブリを示す。
【図２１】同代替のハウジング構造を有するディスプレイアセンブリを示す。
【図２２】同代替のハウジング構造を有するディスプレイアセンブリを示す。
【図２３】代替のハウジング構造を有するディスプレイアセンブリを示す。
【図２４】同代替のハウジング構造を有するディスプレイアセンブリを示す。
【図２５】同代替のハウジング構造を有するディスプレイアセンブリを示す。
【図２６】同代替のハウジング構造を有するディスプレイアセンブリを示す。
【図２７】同代替のハウジング構造を有するディスプレイアセンブリを示す。
【図２８】同代替のハウジング構造を有するディスプレイアセンブリを示す。
【図２９】同代替のハウジング構造を有するディスプレイアセンブリを示す。
【図３０】同代替のハウジング構造を有するディスプレイアセンブリを示す。
【図３１】同代替のハウジング構造を有するディスプレイアセンブリを示す。
【図３２】ディスプレイハウジング内の偏光板と、第１拡散板と、第２拡散板の代替の配置とを有するディスプレイアセンブリを示す。
【図３３】同ディスプレイハウジング内の偏光板と、第１拡散板と、第２拡散板の代替の配置とを有するディスプレイアセンブリを示す。
【図３４】代替のディスプレイアセンブリの構成を示す。
【図３５】同代替のディスプレイアセンブリの構成を示す。
【図３６】代替のディスプレイ位置合わせデバイスを示す。
【図３７】同代替のディスプレイ位置合わせデバイスを示す。
【図３８】ディスプレイハウジングに結合されるトロレンズを有するディスプレイアセンブリを示す。
【図３９】同ディスプレイハウジングに結合されるトロレンズを有するディスプレイアセンブリを示す。
【図４０】同ディスプレイハウジングに結合されるトロレンズを有するディスプレイアセンブリを示す。
【図４１】同ディスプレイハウジングに結合されるトロレンズを有するディスプレイアセンブリを示す。
【図４２】同ディスプレイハウジングに結合されるトロレンズを有するディスプレイアセンブリを示す。
【図４３】同ディスプレイハウジングに結合されるトロレンズを有するディスプレイアセンブリを示す。
【図４４】同ディスプレイハウジングに結合されるトロレンズを有するディスプレイアセンブリを示す。
【図４５】同ディスプレイハウジングに結合されるトロレンズを有するディスプレイアセンブリを示す。
【図４６】同ディスプレイハウジングに結合されるトロレンズを有するディスプレイアセンブリを示す。
【図４７】光学的に光透透過性のカップラ（coupler ）を有するディスプレイを示す。
【図４８】同光学的に光透透過性のカップラを有するディスプレイを示す。
【図４９】同光学的に光透透過性のカップラを有するディスプレイを示す。
【図５０】同光学的に光透透過性のカップラを有するディスプレイを示す。
【符号の説明】
【００４８】
１３，１７４  位置合わせ縁部
１５  取付け装置
１８，２２，６２，８２，１８４，２１２  ハウジング
２１，３０  位置合わせデバイス（位置決め縁部）
２５，２８  ディスプレイパネル
４０  第１拡散板
４２  第２拡散板
４４，７４，９０，１１８，１９０  光源
５８，１７２  横方向固定部分
５９  垂直方向固定部分
２２４  レンズ
【図１】
2004522990.tif 000003
【図２】
2004522990.tif 000004
【図３Ａ】
2004522990.tif 000005
【図３Ｂ】
2004522990.tif 000006
【図４】
2004522990.tif 000007
【図５】
2004522990.tif 000008
【図６】
2004522990.tif 000009
【図７】
2004522990.tif 000010
【図８】
2004522990.tif 000011
【図９】
2004522990.tif 000012
【図１０】
2004522990.tif 000013
【図１１】
2004522990.tif 000014
【図１２】
2004522990.tif 000015
【図１３】
2004522990.tif 000016
【図１４】
2004522990.tif 000017
【図１５】
2004522990.tif 000018
【図１６】
2004522990.tif 000019
【図１７】
2004522990.tif 000020
【図１８】
2004522990.tif 000021
【図１９】
2004522990.tif 000022
【図２０】
2004522990.tif 000023
【図２１】
2004522990.tif 000024
【図２２】
2004522990.tif 000025
【図２３】
2004522990.tif 000026
【図２４】
2004522990.tif 000027
【図２５】
2004522990.tif 000028
【図２６】
2004522990.tif 000029
【図２７】
2004522990.tif 000030
【図２８】
2004522990.tif 000031
【図２９】
2004522990.tif 000032
【図３０】
2004522990.tif 000033
【図３１】
2004522990.tif 000034
【図３２】
2004522990.tif 000035
【図３３】
2004522990.tif 000036
【図３４】
2004522990.tif 000037
【図３５】
2004522990.tif 000038
【図３６】
2004522990.tif 000039
【図３７】
2004522990.tif 000040
【図３８】
2004522990.tif 000041
【図３９】
2004522990.tif 000042
【図４０】
2004522990.tif 000043
【図４１】
2004522990.tif 000044
【図４２】
2004522990.tif 000045
【図４３】
2004522990.tif 000046
【図４４】
2004522990.tif 000047
【図４５】
2004522990.tif 000048
【図４６】
2004522990.tif 000049
【図４７】
2004522990.tif 000050
【図４８】
2004522990.tif 000051
【図４９】
2004522990.tif 000052
【図５０】
2004522990.tif 000053
【国際公開パンフレット】
2004522990.tif 000054
2004522990.tif 000055
2004522990.tif 000056
2004522990.tif 000057
2004522990.tif 000058
2004522990.tif 000059
2004522990.tif 000060
2004522990.tif 000061
2004522990.tif 000062
2004522990.tif 000063
2004522990.tif 000064
2004522990.tif 000065
2004522990.tif 000066
2004522990.tif 000067
2004522990.tif 000068
2004522990.tif 000069
2004522990.tif 000070
2004522990.tif 000071
2004522990.tif 000072
2004522990.tif 000073
2004522990.tif 000074
2004522990.tif 000075
2004522990.tif 000076
2004522990.tif 000077
2004522990.tif 000078
2004522990.tif 000079
2004522990.tif 000080
2004522990.tif 000081
2004522990.tif 000082
2004522990.tif 000083
2004522990.tif 000084
2004522990.tif 000085
2004522990.tif 000086
2004522990.tif 000087
2004522990.tif 000088
2004522990.tif 000089
2004522990.tif 000090
2004522990.tif 000091
2004522990.tif 000092
2004522990.tif 000093
2004522990.tif 000094
2004522990.tif 000095
2004522990.tif 000096
2004522990.tif 000097
2004522990.tif 000098
2004522990.tif 000099
【国際公開パンフレット（コレクトバージョン）】
2004522990.tif 000100
2004522990.tif 000101
【国際調査報告】
2004522990.tif 000102
2004522990.tif 000103
2004522990.tif 000104